(57)【要約】  本発明は、襟芯の一部を穿孔するための襟芯穿孔装置を提供するものであり、また、穿孔された襟芯を貯蔵するためのデバイスを提供するものである。襟芯穿孔装置は、パンチ穴と、襟芯の一部を受領し得るガイド通路と、を備えたベース部材を具備している。ベース部材に対して回転可能に取り付けられた第１レバー部材は、パンチ穴と協働するためのパンチ部材を備えている。ベース部材に対して回転可能に取り付けられた第２レバー部材は、第１レバー部材を押圧し、パンチ部材によって襟芯を穿孔する。穿孔された襟芯は、襟芯貯蔵デバイス上に貯蔵することができる。襟芯貯蔵デバイスは、開放可能なリング部材を具備し、このリング部材は、互いに係合可能なものとされた複数のアームを具備し、アームに対して貫通穴付き襟芯を挿入することができ、これにより、襟芯を整然とかつコンパクトに貯蔵することができる。
2007511373.tif 000002
【特許請求の範囲】
【請求項１】
襟芯を穿孔するための装置であって、
パンチ穴と、襟芯の一部を受領し得るとともにこの襟芯の一部を前記パンチ穴上へと位置させ得るよう構成されたガイド通路と、を備えたベース部材と；
このベース部材に対しての第１回転取付部分を備え、さらに、第１表面と、第２表面と、前記第１回転取付部分よりも先端側に位置した先端部と、を備えた第１レバー部材であるとともに、前記第１表面に、前記パンチ穴と協働するためのパンチ部材が設けられているような、第１レバー部材と；
前記ベース部材に対しての第２回転取付部分を備え、さらに、この第２回転取付部分の近くに位置した当接表面を備えた第２レバー部材であるとともに、前記当接表面の一部が、前記第２レバー部材を前記ベース部材に向けて移動させた際には、前記第１レバー部材の前記先端部上に当接するものとされているような、第２レバー部材と；
を具備していることを特徴とする装置。
【請求項２】
請求項１記載の装置において、
さらに、前記ベース部材と前記第１レバー部材との間に配置されたスプリングを具備し、
このスプリングが、前記第１レバー部材の前記先端部を、前記第２レバー部材の前記当接表面に向けて、付勢していることを特徴とする装置。
【請求項３】
請求項１記載の装置において、
前記パンチ部材が、カット表面を備え、
このカット表面が、前記第１回転取付部分寄りに位置した突出エッジを有していることを特徴とする装置。
【請求項４】
請求項１記載の装置において、
前記パンチ部材が、襟芯に円形の貫通穴を形成するものとされていることを特徴とする装置。
【請求項５】
請求項２記載の装置において、
さらに、前記ベース部材と前記スプリングと前記第１レバー部材とを収容するためのハウジングを具備していることを特徴とする装置。
【請求項６】
請求項５記載の装置において、
前記ハウジングが、解除可能なラッチを備え、
前記第２レバー部材が、前記装置を閉塞状態に維持し得るよう、前記ラッチに対応したスロットを備えていることを特徴とする装置。
【請求項７】
請求項１記載の装置において、
前記第２レバー部材の前記当接表面が、金属とスチールとナイロンとからなるグループの中から選択された耐摩耗性材料から形成されていることを特徴とする装置。
【請求項８】
請求項７記載の装置において、
前記当接表面が、複数の突出リッジを備えていることを特徴とする装置。
【請求項９】
請求項１記載の装置において、
前記装置の長さが、６３．５ｍｍ〜８８．９ｍｍとされていることを特徴とする装置。
【請求項１０】
襟芯を穿孔するための方法であって、
パンチ穴と、このパンチ穴に対して回転可能とされかつ協働可能とされたパンチ部材と、を具備してなる穿孔装置を準備し、この際、前記パンチ穴と前記パンチ部材とを、襟芯の幅および厚さを受領し得るものとし；
前記パンチ穴上に、襟芯の一部を配置し；
前記パンチ部材を駆動することによって、襟芯の一部を貫通させつつ前記パンチ穴内へと侵入させ、これにより、襟芯に貫通穴を形成する；
ことを特徴とする方法。
【請求項１１】
請求項１０記載の方法において、
襟芯が、尖っている部分と中央部分と端部とを備えたものである場合に、
これら尖っている部分と中央部分と端部とのいずれかを、前記パンチ穴上に配置することを特徴とする方法。
【請求項１２】
請求項１０記載の方法において、
前記パンチ部材の前記駆動を、手動で行うことを特徴とする方法。
【請求項１３】
穿孔された少なくとも１つの襟芯を貯蔵するためのデバイスであって、
閉ループを形成し得るよう互いに係合可能なものとされ、かつ、少なくとも一方の部材が回転可能とされることによって係合解除可能とされた、第１および第２アーチ形状部材と；
前記第１および第２アーチ形状部材を回転可能に維持するとともに前記第１および第２アーチ形状部材を突出させているハウジングと；
前記第１および第２アーチ形状部材の間に配置され、これら第１および第２アーチ形状部材を閉塞状態に向けて付勢するスプリングと；
前記ハウジング内に配置されかつボディを備えた押しボタンであるとともに、前記ボディの一部が、前記第１および第２アーチ形状部材の間に配置され、これにより、前記押しボタンが押圧されたときには前記第１および第２アーチ形状部材のうちの少なくとも一方を開放状態に向けて付勢し得るものとされているような、押しボタンと；
を具備していることを特徴とするデバイス。
【請求項１４】
請求項１３記載のデバイスにおいて、
前記第１および第２アーチ形状部材が、前記ボタンが押圧されていない場合には、閉塞状態とされていることを特徴とするデバイス。
【請求項１５】
請求項１３記載のデバイスにおいて、
前記ボタンの前記ボディが、楔形状をなす横断面形状を有していることを特徴とするデバイス。
【請求項１６】
請求項１５記載のデバイスにおいて、
前記押しボタンが、露出表面を備え、
前記ボタンの前記ボディの幅が、前記露出表面に近いほど大きいものとされていることを特徴とするデバイス。
【請求項１７】
請求項１３記載のデバイスにおいて、
貫通穴を備えた襟芯を具備し、
前記アーチ形状部材が、前記貫通穴を通して延在していることを特徴とするデバイス。
【請求項１８】
襟芯を穿孔しさらに貯蔵するためのデバイスであって、
襟芯の一端を受領し得るものとされたガイド通路を形成するボディと、このボディに付設されているとともに、前記ガイド通路内に受領された襟芯に穴の形成するためのパンチ部材と、を備えた第１部材と；
それぞれが穴を有した複数の襟芯を保持するための長尺部材であるとともに、前記穴を通して前記長尺部材上に襟芯を保持し得るような横断面形状を有しているような、長尺部材と；
を具備していることを特徴とするデバイス。
【請求項１９】
襟芯を貯蔵するための方法であって、
襟芯の一端を受領し得るものとされたガイド通路を形成するボディと、このボディに付設されているとともに、前記ガイド通路内に受領された襟芯に穴の形成するためのパンチ部材と、を備えた第１部材を準備し；
前記ボディの内部に襟芯の一部を配置し；
前記パンチ部材を駆動することによって、襟芯の一部を貫通させ、これにより、襟芯に貫通穴を形成し；
開放可能なリング部材を準備し、この際、このリング部材を、閉ループを形成し得るよう互いに係合可能なものとされ、かつ、係合の解除も可能とされた、複数のアーム部材を具備してなるものとし；
前記アーム部材の係合を解除することによって、これらアーム部材の間にギャップを形成し；
前記アーム部材に対して、襟芯の前記貫通穴を挿入し；
前記アーム部材どうしを係合させることによって、閉ループを形成し；
前記閉ループ内に、前記貫通穴付きの襟芯を保持する；
ことを特徴とする方法。
【請求項２０】
襟芯を貯蔵するための方法であって、
襟芯に貫通穴を形成し；
開放可能なリング部材を準備し、この際、このリング部材を、閉ループを形成し得るよう互いに係合可能なものとされ、かつ、係合の解除も可能とされた、複数のアーム部材を具備してなるものとし；
前記アーム部材の係合を解除することによって、これらアーム部材の間にギャップを形成し；
前記アーム部材に対して、襟芯の前記貫通穴を挿入し；
前記アーム部材どうしを係合させることによって、閉ループを形成し；
前記閉ループ内に、前記貫通穴付きの襟芯を保持する；
ことを特徴とする方法。
【発明の詳細な説明】
【技術分野】
【０００１】
本発明は、襟芯を穿孔する襟芯穿孔装置に関するものであり、また、穿孔された襟芯を貯蔵し得るよう構成された襟芯貯蔵デバイスに関するものである。
【背景技術】
【０００２】
襟芯は、共通の衣服付属品であって、薄くかつ細いプラスチックあるいは金属から形成されており、シャツおよび／またはブラウスの襟の中の縫製スロット内に挿入される。襟の中に配置された後には、襟芯は、襟に対して追加的な強度を付与し、襟の各所が曲がってしまうことを防止する。これにより、襟芯によって、人は、こぎれいな外観と良好な身だしなみとを得ることができる。
【０００３】
襟芯を使用することによってぱりっとした外観がもたらされるという美観的利点にもかかわらず、襟芯自体は、非使用時には、不規則さや混乱を引き起こす傾向がある。襟芯の本来的性質（つまり、プラスチック製のまたは金属製の、薄くかつ細いストリップであること）のために、非使用時には、襟芯は、変な向きに曲がったり、破損したり、あるいは、不適切な配置となったり、する傾向がある。また、襟芯は、例えば引出しやクローゼットスペースや化粧用品キットや財布やスーツケースやあるいはドレッサーといったような貯蔵領域内において、最も奥の方にまで移動する傾向を有している。破損したあるいは散乱した様々な襟芯の中から使用可能な一対の襟芯を見つけて配置することは、特に旅行中であれば、日々の身支度に支障をきたすだけでなく、時間の浪費にもなり、さらに、無用のフラストレーションを生じさせてしまう。
【０００４】
したがって、秩序だった配置でもって襟芯を維持することができて襟芯を迅速にかつアクセス可能に回収し得るような、襟芯貯蔵デバイスが要望されている。また、コンパクトなものであって、旅行時に使用可能であるよう携行可能であるような襟芯貯蔵デバイスが要望されている。なお、本出願人の知る限りにおいては、本出願に関連性を有する先行技術文献は存在しない。
【発明の開示】
【課題を解決するための手段】
【０００５】
本発明においては、襟芯を穿孔するための装置と、穿孔された襟芯を貯蔵するためのデバイスとが、提供される。襟芯穿孔装置は、パンチ穴と、このパンチ穴上に襟芯の一部を受領し得るガイド通路と、を備えたベース部材を具備している。第１レバー部材が、ベース部材に対して回転可能に取り付けられており、この第１レバー部材は、内表面から突出するパンチ部材を備えている。第２レバー部材が、ベース部材に対して回転可能に取り付けられており、この第２レバー部材は、内表面をなす当接表面を備えている。この当接表面は、第２レバー部材がベース部材に向けて駆動されたときには、第１レバー部材の外表面を押圧する。当接表面は、好ましくは、耐摩耗性材料から形成される。そのため、第２レバー部材の下向き駆動により、パンチ部材がガイドプレートに向けて駆動され、パンチ部材がパンチ穴と係合して、ガイド通路内に襟芯が挿入されている場合には、襟芯を穿孔する。パンチ部材は、生成した穿孔物を、ベース部材内のオリフィスから押し出し、これにより、穿孔物を装置から放出する。
【０００６】
好ましくは、ハウジングが、ベース部材に対して固定され、第１レバー部材を収容する。ハウジングは、第２レバー部材の回転移動を許容するための開口を備えている。ハウジングは、ハウジング開口内へと第２レバー部材を収容するためのラッチを備えている。第２レバー部材の頂壁パネルをハウジングの頂壁表面の一部上へと起立させる構成は、襟芯穿孔装置の閉塞状態をコンパクトなものとする。ベース部材と第１レバー部材との間に配置された板ばねは、第１レバー部材の外表面を付勢して、第２レバー部材の内表面を押圧させる。ラッチが解除されたときには、第１レバー部材が第２レバー部材を付勢し、第２レバー部材を、ハウジングの上方へと起立させる。これにより、装置は、開放状態となる、すなわち、動作可能状態となる。開放状態においては、上述したように、襟芯をガイド通路内へと容易に挿入することができ、穿孔を行うことができる。
【０００７】
好ましくは、パンチ部材は、尖鋭なカット表面を備えており、この尖鋭なカット表面は、尖鋭な突出エッジを有している。突出エッジは、第１レバー部材の回転取付部分の近くにおいて、パンチ部材の一部上に配置される。このようにして突出エッジを位置決めすることにより、パンチ部材をパンチ穴に対して協働させる際に、付加的なトルクをもたらす。突出エッジは、さらに、襟芯に初期的穴を形成することにより、穿孔を形成するのに必要な力を低減させる。カット表面の残部は、襟芯に対して徐々に係合し、貫通穴を形成する。このことは、カット表面全体が襟芯に対して同時的に係合する場合に必要な穿孔力と比較して、穿孔を形成するのに必要な剪断力を低減させる。
【０００８】
襟芯穿孔装置の２重レバー構成によってもたらされる組合せレバー長さは、第２レバー部材に対しての最小の力の印加によって、襟芯を穿孔するのに適切なトルクをもたらす。襟芯をガイド通路内に挿入した後に、使用者は、単に親指と人指し指との間にベース部材および第２レバー部材を挟み付け、親指および人指し指を互いに閉じることによって、装置を閉塞することができる。したがって、平均的な人の手によってもたらされた閉塞力は、典型的には、穿孔装置によって通常の襟芯を穿孔するには適切なもの以上となる。したがって、襟芯穿孔装置は、プラスチック製や金属製といったような様々な素材からなる襟芯や様々な幅および厚さの襟芯を穿孔するのに適切である。襟芯穿孔装置は、コンパクトなものであり、耐久性を有したものであり、また、家庭内においても旅行時においても適切なものである。
【０００９】
本発明の他の見地においては、穿孔された襟芯を貯蔵するためのデバイスが提供される。本発明による襟芯貯蔵デバイスは、第１および第２アーチ形状部材と、これら第１および第２アーチ形状部材を互いに回転可能に維持するためのハウジングと、を具備している。ハウジング内には、第１および第２アーチ形状部材の間に、スプリングが配置され、これにより、第１および第２アーチ形状部材を閉塞状態に向けて付勢している。さらに、ハウジング内には、押しボタンが配置される。この押しボタンは、第１および第２アーチ形状部材の間に配置されたボディを備えている。このボディは、ボタンが押された場合には、少なくとも一方のアーチ形状部材を開放状態に向けて付勢する、第１および第２アーチ形状部材は、ハウジングから自由に突出しており、閉ループを形成し得るよう互いに係合可能とされている。なおかつ、その係合を解除することも可能とされている。ハウジングの内方へとボタンを押し込むことにより、少なくとも一方のアーチ形状部材を回転させることができ、第１および第２アーチ形状部材の間にギャップを形成することができる。アーチ形状部材は、貫通穴を有した襟芯を挿し通し得るような横断面形状を有している。その後、襟芯は、アーチ形状部材を開放状態としたときには、一方のアーチ形状部材上に配置することができる、あるいは、一方のアーチ形状部材から取り外すことができる。ボタンに対する押圧力を解除することにより、アーチ形状部材どうしを互いに係合させて、閉ループを形成することができる。閉塞状態においては、襟芯貯蔵デバイスは、穿孔された襟芯を、整然とした配置で保持する。襟芯貯蔵デバイスのサイズがコンパクトであることにより、襟芯を貯蔵するのに必要なスペースを最小化することができ、これにより、襟芯貯蔵デバイスを、ドレッサーの引出しや、クローゼットスペースや、スーツケースや、化粧用品キットや、衣装袋や、財布や、ポケット、内において使用することを適切なものとする。
【００１０】
好ましくは、磁石が、貯蔵デバイスのハウジングの外表面に対して取り付けられる。この場合には、貯蔵デバイスは、好ましくはスチールから形成されたような襟芯穿孔装置のベース部材の外表面に対して磁気的に取り付けることができる。磁石は、襟芯穿孔装置と襟芯貯蔵デバイスとを一緒に保持することを可能とする。このことは、襟芯を穿孔した直後に襟芯を貯蔵デバイス上に配置することができ、これにより、襟芯を損傷してしまったりまた襟芯を置き間違えてしまったりすることを防止し得るという点において、有利である。本発明の他の見地においては、襟芯を穿孔して貯蔵するためのデバイスが提供される。穿孔デバイスは、襟芯の一端部を受領し得るよう構成されたガイド通路を形成するボディを備えている。ガイド通路は、パンチ穴を備えている。ボディに対して付設されたおよび／またはボディに対して回転可能に付設されたパンチ部材は、襟芯をガイド通路内に挿入した状態でボディとパンチ部材とを互いに近接させることによって、襟芯に貫通穴を形成することができる。穿孔デバイスは、単一レバー構成あるいは２重レバー構成を備えることができる。穿孔貯蔵デバイスは、さらに、それぞれが貫通穴を有した複数の襟芯を保持し得るような長尺部材を具備している。この長尺部材は、襟芯に形成された貫通穴を挿し通すことによって長尺部材上に襟芯を保持し得るような横断面形状を有している。長尺部材は、好ましくは、選択的に解除可能なループあるいはリングとすることができる。ループあるいはリングは、開閉することができ、貫通穴付き襟芯を、長尺部材に対して、追加したりあるいは取り外したりすることができる。長尺部材は、好ましくは、互いに回転可能とされた第１および第２アームを備えており、これらアームは、互いに係合することによって閉ループを形成し、かつ、互いの係合を解除することによってこれらアーム間にギャップを形成する。
【００１１】
本発明の他の見地においては、襟芯を穿孔する方法が提供される。この方法においては、パンチ部材とこのパンチ部材に対して回転可能とされたパンチ穴とを具備した穿孔装置を準備する。穿孔装置は、襟芯に適合したものとされ、パンチ部材およびパンチ穴は、互いに協働し得るものとされる。この方法においては、パンチ穴上に襟芯の一部を配置し、パンチ部材を駆動して、襟芯の一部を貫通させつつパンチ穴内へと侵入させる。これにより、襟芯に貫通穴を形成する。
【００１２】
本発明の他の見地においては、襟芯を貯蔵するための方法が提供される。この方法においては、パンチ部材とこのパンチ部材に対して回転可能とされたパンチ穴とを具備した穿孔装置を準備し、パンチ穴とパンチ部材とを、襟芯の幅および厚さに適合したものとする。この方法においては、さらに、パンチ穴上に襟芯の一部を配置し、パンチ部材を駆動して、襟芯の一部を貫通させつつパンチ穴内へと侵入させる。これにより、襟芯に貫通穴を形成する。この方法においては、さらに、互いに回転可能とされかつ係合可能とされた第１および第２アーチ形状部材を準備する。これらアーチ形状部材は、係合時には、閉ループを形成する。この方法においては、ループを開放することによって、アーチ形状部材どうしの間にギャップを形成し、アーチ形状部材に対して襟芯の貫通穴を挿し通し、第１および第２アーチ形状部材を係合させて、閉ループ上に襟芯を保持する。
【００１３】
本発明の他の見地においては、襟芯を貯蔵するための方法が提供される。この方法においては、襟芯を穿孔し、閉ループを形成し得るよう互いに係合可能とされたアームを備えた開放可能なリング部材を準備する。この方法においては、さらに、アームどうしの係合を解除することによって、アームどうしの間にギャップを形成し、アームに対して、襟芯の間を挿し通す。さらに、アームどうしを係合させて閉ループを形成し、貫通穴付きの襟芯を、閉ループ内に保持する。
【００１４】
本発明の他の見地においては、襟芯を貯蔵するための方法が提供される。この方法においては、襟芯の一端を受領し得るものとされたガイド通路を形成するボディと、このボディに付設されているとともに、ガイド通路内に受領された襟芯に穴の形成するためのパンチ部材と、を備えた第１部材を準備する。この方法においては、さらに、ボディの内部に襟芯の一部を配置し、パンチ部材を駆動することによって、襟芯の一部を貫通させ、これにより、襟芯に貫通穴を形成する。さらに、開放可能なリング部材を準備し、この際、このリング部材を、閉ループを形成し得るよう互いに係合可能なものとされ、かつ、係合の解除も可能とされた、複数のアーム部材を具備してなるものとする。この方法においては、さらに、アームの係合を解除することによって、これらアームの間にギャップを形成し、アームに対して、襟芯の貫通穴を挿入し、アームどうしを係合させることによって、閉ループを形成し、閉ループ内に、貫通穴付きの襟芯を保持する。
【発明を実施するための最良の形態】
【００１５】
［１．襟芯穿孔装置］
添付図面においては、同様の構造や部材に関しては、同じ符号が付されている。特に図１および図２には、襟芯穿孔装置１０が図示されている。襟芯穿孔装置１０は、第１レバー部材１２と、第２レバー部材１４と、ハウジング１６と、ガイドスロット１８と、を備えている。ガイドスロット１８は、装置１０内へと襟芯３８を挿入するためのものである。ハウジング１６は、さらに、解除可能なラッチ２０を備えている。矢印Ａの方向にラッチ２０を移動させることにより、装置１０を開くことができる。矢印Ｂの方向のラッチ２０の移動させることにより、装置１０を閉じることができる。ハウジング１６は、開口３０を備えている。この開口３０により、第２レバー部材１４は、ラッチ２０が開放位置へと駆動されたときには、ハウジング１６から起立することができる。図１は、装置１０の開放状態を示している。この開放状態においては、第２レバー部材１４は、起立しており、第２レバー部材１４の内表面２２を露出させている。第２レバー部材１４は、さらに、第１側壁２４ａと、第２側壁２４ｂと、頂壁パネル２６と、を有している。詳細に後述するように、第１レバー部材１２の一部が、内表面２２の一部に対して接触しているあるいは係合している。好ましくは、内表面２２は、第１レバー部材１２の外表面に対して接触する複数の突出リッジ２８を有している。
【００１６】
第１および第２レバー部材１２，１４は、ハウジング１６内において、回転可能とされている、あるいは、他の態様で移動可能とされている。ハウジング１６は、第１レバー部材１２の移動を制限している。第２側壁２４ｂは、ノッチ３２を有している。ノッチ３２は、ラッチ２０と協働することにより、図３および図５に示すような閉塞位置に装置１０を維持することができる。装置１０が閉塞位置にある場合には、頂壁パネル２６が、開口３０を閉塞する。頂壁パネル２６は、さらに、延出部分３４を有している。延出部分３４は、ラッチ２０とノッチ３２とが互いに協働することによって装置１０を閉塞状態に維持している際には、ハウジング１６の上面の一部上へと延在する。延出部分３４は、装置１０の使用時における指の配置を補助し得るよう、指用凹所３６を有することができる。
【００１７】
装置１０は、さらに、ベース部材４０を備えている。このベース部材は、図３〜図５にに示すように、放出オリフィス４２と、パッド４４と、を有している。ベース部材４０と第２レバー部材１４との間の回転取付部分４６が、図４に示されている。パッド４４は、好ましい接着剤を使用することによって、当業者に公知の態様でもって、ベース部材４０の外表面に対して取り付けることができる。好ましくは、パッド４４は、ゴムや、ソフトなプラスチックや、同様の材料、から形成されており、これにより、装置１０に対して、ソフトなかつ傷が付きにくい底面を付与することができる。
【００１８】
装置１０の内部構成部材は、図６の分解斜視図によって明瞭に示されている。第１レバー部材１２は、ヒンジ部分４８を備えている。このヒンジ部分４８は、ベース部材４０の第１ヒンジ部分５０ａ，５０ｂに適合している。ヒンジピン５２は、ヒンジ部分４８を、第１ヒンジ部分５０ａ，５０ｂに対して固定する。これにより、ベース部材４０と第１レバー部材１２との間の回転取付部分５３が形成される。同様に、第２レバー部材１４は、ヒンジ部分５４ａ，５４ｂを有している。これらヒンジ部分５４ａ，５４ｂは、ベース部材４０の第２ヒンジ部分５６に対して適合している。ヒンジピン５８が、ヒンジ部分５４ａ，５４ｂを、第２ヒンジ部分５６に対して固定する。これにより、ベース部材４０と第２レバー部材１４との間の回転取付部分４６が形成される。ガイドスロット１８に対応するガイドプレート６０が、ベース部材４０上に配置されていて、ガイドスロット１８に対して位置合わせされている。これにより、ガイド通路６１を形成している。ガイドプレート６０は、さらに、パンチ穴６４を有した隆起表面６２を備えている。ガイドプレート６０は、パンチ穴６４が放出オリフィス４２に対して位置合わせされるようにして、ベース部材４０上に配置されている。ハウジング１６は、隆起表面６２の周縁に対応するトラック６６ａ，６６ｂを有している。トラック６６ａ，６６ｂは、ハウジング１６がベース部材４０に対して固定されたときには、ガイド通路６１とガイドスロット１８とを適切に位置合わせするとともに、ベース部材４０上にガイドプレート６０を固定する。当業者であれば、ガイドスロット１８の幅およびガイド通路６０の幅を、様々な幅や様々な厚さを有した襟芯を受領し得るように構成し得ることは、理解されるであろう。
【００１９】
板ばね６８ａ，６８ｂが、ガイドプレート６０上における所定位置に、スプリングクランプ７０によって、固定される。第１レバー部材１２は、この第１レバー部材１２の内表面が板ばね６８ａ，６８ｂに対して当接しつつ、回転する。ネジ７２ａ，７２ｂが、それぞれ対応するネジ穴７４ａ，７４ｂ内へと挿入され、さらにハウジング１６のそれぞれ対応するネジ座（図示せず）内に着座される。これにより、ハウジング１６に対してベース部材４０を固定することができる。好ましくは光沢のある金属から形成されたものといったような、装飾性のインレー７６を、頂壁パネル２６の外表面に対して、接着によって固定することができる。パッド４４は、ベース部材４０の外表面に対して、接着によって固定することができる。パッド４４は、放出オリフィス４２を妨害しないようにするための、開口４５を有している。ラッチ２０は、突部７８を有している。この突部７８は、ワッシャ８０を超えて突出し、ハウジング１６内のラッチ穴８２内へと挿入される。装置１０が閉塞状態にあるときには、突部７８は、ノッチ３２に対して係合し、これにより、装置１０を閉塞状態に維持する。ラッチ２０を矢印Ａ（図１を参照）の方向に移動させることにより、突部７８とノッチ３２との係合が解除される。板ばね６８ａ，６８ｂによって第１レバー部材１２に対して及ぼされた力は、第１レバー部材１２の外表面を付勢して内表面２２を押し上げさせる。これにより、第２レバー部材１４が、ハウジング１６上へと起立することとなる。
【００２０】
第２レバー部材１４の内表面２２は、当接表面９４を備えている。当接表面９４は、好ましくは、複数の突出リッジ２８を備えている。これらリッジ２８は、当業者に公知であるような任意の耐摩耗性材料から形成することができる。限定するものではないけれども、例えば、金属や、プラスチックから形成することができ、好ましくは、ガラスが添加されたナイロンから形成することができる。
【００２１】
好ましくは、ベース部材４０と、第１レバー部材１２と、ガイドプレート６０と、ヒンジピン５２，５８と、板ばね６８ａ，６８ｂと、スプリングクランプ７０とは、硬質の、かつ、耐久性を有した、耐摩耗性材料から形成されている。これら構成部材として適切な材料は、プラスチックや、あるいは、例えばスチールといったような金属、とすることができる。板ばね６８ａ，６８ｂおよびスプリングクランプ７０として好ましい材料は、冷間圧延されたスプリングスチールである。
【００２２】
図７および図８においては、襟芯穿孔装置１０の動作を明瞭に図示する目的で、ハウジング１６の図示が省略されている。第１レバー部材１２は、内表面８４および外表面８６を有している。パンチ部材８８が、内表面８４から突出している。パンチ部材８８は、パンチ穴６４と協働し得るように、内表面８４上に位置決めされている。回転取付部分５３の反対側には、第１レバー部材１２の湾曲部分９０が配置されている。湾曲部分９０の内向き湾曲は、外表面８６と第２レバー部材１４の当接表面９４との間の滑らかな接触表面を提供する。
【００２３】
装置１０の使用者は、まず最初に、ハウジング１６から第２レバー部材１４を起立させて、装置１０を開放状態とする。その後、使用者は、襟芯３８の端部を、ガイドスロット１８内へと挿入し、ガイド通路６１を通して襟芯３８をスライドさせる。これにより、襟芯の一部がパンチ穴６４の下に位置するようにする。その後、使用者は、図７において矢印Ｃによって示すように、指９２によって、ベース部材４０に向けて第２レバー部材１４を移動させる。この下方移動により、第２レバー部材１４の当接表面９４を、第１レバー部材１２の湾曲部分９０に対して接触させる。湾曲部分９０は、好ましくは、回転取付部分４６の近傍において、当接表面９４を押圧する。これにより、装置１０の２重レバー構成によりもたらされるトルクを増大させることができる。
【００２４】
使用者の指９２が第２レバー部材１４を下向きに移動させた際には、使用者は、まず最初に、板ばね６８ａ，６８ｂからの抵抗力を感じる。その後、下向き移動をさらに継続させると、使用者は、パンチ部材８８がパンチ穴６４内へと挿入されこれによりパンチ部材８８のカットエッジ９６が襟芯３８に対して係合した時点で、より大きな抵抗力を感じる。襟芯３８は、当業者に公知であるような任意の材料から形成することができ、限定するものではないけれども、例えば、プラスチックや、紙や、厚紙や、スチールやステンレススチールや真鍮や金や銀やニッケルのような金属、から形成することができる。
【００２５】
好ましくは、カットエッジ９６は、襟芯３８を最初に穿孔するための突部９８を有している。カットエッジ９６および突部９８は、硬質のかつ尖鋭化された表面であって、第１レバー部材１２と同じ材料から形成することも、あるいは、異なる材料から形成することも、できる。好ましくは、カットエッジ９６および突部９８は、冷間圧延されたスチールから形成される。突部９８は、好ましくは、パンチ部材８８上において、回転取付部分５３に対して最も近い位置に、配置されている。これにより、装置１０によるトルクをさらに増大させることができる。使用者の指９２に基づく下向き力を使用して、突部９８は、使用者の指９２からの最小の力でもって襟芯３８に初期的孔を穿孔する。使用者の指９２が下向き力を印加し続けた際には、カットエッジ９６の残部が、穿孔ポイントにおいて襟芯３８と係合し、パンチ穴６４の周縁に沿って穿孔を行う。図８において矢印Ｄによって示すように、使用者の指９２が、第２レバー部材１４をさらに継続して下方へと駆動させたときには、パンチ部材８８が、パンチ穴６４の完全に奥まで侵入し、カットエッジ９６の全体が、襟芯３８を貫通する。この時点で、パンチ部材８８は、放出オリフィス４２を通して、穿孔物１００を放出する。突部９８による初期的な孔形成と、これに引き続いてのカットエッジ９６による漸次的なカットとは、カットエッジと襟芯３８とが同時に全体的に係合することを回避させ、これにより、襟芯３８の完全な穿孔に必要な剪断力を低減させることに寄与する。使用者の指９２を第２レバー部材１４から離間させたときには、板ばね６８ａ，６８ｂに基づく付勢力によって、第２レバー部材１４を、ハウジング１６から起立させることができる。その後、使用者は、ガイド通路６１から襟芯３８を取り出すことができる。
【００２６】
装置１０の動作態様に関し、当業者であれば、ハウジング１６がいくつかの安全機能をもたらしていることを、理解されるであろう。ハウジング１６は、使用者の指または衣類が第１および第２レバー部材の間に挟まれてしまったりあるいは各レバー部材の回転取付部分どうしの間に挟まれてしまったりすることを防止している。加えて、ハウジング１６によって、第１レバー部材１２に対する回転移動の印加が、防止されている。このことは、使用者を、カットエッジ９６および突部９８の尖鋭表面から、保護している。
【００２７】
当業者には公知なように、パンチ部材８８と、カットエッジ９６と、パンチ穴６４とは、襟芯３８に対して任意の所望の形状の穿孔を行い得るように、構成することができる。そのような形状としては、限定するものではないけれども、正方形や、三角形や、円形や、楕円形、とすることができる。ガイド通路６１から取り出されたときには、襟芯３８は、図９に示すように、クリーンカットされた穴１０２を有している。好ましくは、穴１０２は、円形形状とされる。
【００２８】
当業者であれば、襟芯３８のどちらの端部であっても、装置１０によって穿孔し得ることは、容易に理解されるであろう。図９は、貫通穴１０２が、襟芯３８の円形端部１０４のところに配置されているような一実施形態を示している。しかしながら、装置１０を使用することにより、襟芯３８の任意の部分において容易に穿孔を行うことができる。そのような部分は、襟芯３８の中央部分１０６とすることも、また、尖った端部１０８とすることも、できる。また、当業者であれば、装置１０を使用することによって、襟芯３８に対して複数の穴を形成し得ることは、理解されるであろう。そのような場合には、ガイド通路６１は、襟芯３８をガイド通路６１を通して挿入させ得るよう、挿入に対する制約をもたらさないものとして構成することができる。これにより、襟芯３８の少なくとも長手方向中間点までをパンチ穴６４の下に位置させ得るものとすることができる。これに代えて、ガイドスロット１８およびガイド通路６１は、ハウジング１６の一端から襟芯３８を挿入させることができかつハウジング１６の他端から襟芯３８を取り出し得るようにして、ハウジング１６内に配置することができる。そのような配置は、襟芯に対して複数の穿孔を迅速に行うことを、容易なものとする。
【００２９】
装置１０の２重レバー構成は、襟芯を穿孔するのに必要な力を大幅に低減させる。装置１０は、親指と人指し指との間に第２レバー部材１４とベース部材４０とを挟むことによってさらに親指と人指し指とを閉じることによって、容易に手動で操作することができる。装置１０を手動で使用することにより、０．０１２７ｍｍ（０．０００５インチ）〜約１．２７ｍｍ（約０．０５インチ）という厚さを有した襟芯を快適に穿孔するのに十分な力をもたらすことができる。装置１０を使用してプラスチック製の襟芯を穿孔する場合に、最良の結果が得られる。また、本発明を使用することにより、金属製の襟芯を穿孔することができる。
【００３０】
本発明における２重レバー構成は、また、装置１０のコンパクトさに寄与する。装置１０は、約６３．５ｍｍ（約２．５インチ）〜約８８．９ｍｍ（約３．５インチ）という長さと、約２５．４ｍｍ（約１．０インチ）〜約５０．８ｍｍ（約２．０インチ）という幅と、約２５．４ｍｍ（約１．０インチ）〜約５０．８ｍｍ（約２．０インチ）という高さと、を有している。このことは、引出しやスーツケースや衣装袋等の中で装置１０が最小のスペースしか必要としないという点で、有利である。装置１０のコンパクトさは、装置１０が財布や旅行道具や化粧用品や身仕度キットやポケットさえの中へと容易に入ることにより、携帯性を促進させる。
【００３１】
［２．襟芯貯蔵デバイス］
装置１０を使用した襟芯の穿孔に加えて、図１０〜図１４に示すように、襟芯貯蔵デバイス２００を使用することにより、穿孔された複数の襟芯を貯蔵することができる。デバイス２００は、第１および第２アーチ形状部材２０２ａ，２０２ｂと、ハウジング２０４と、カバー部材２０６と、押しボタン２０８と、を備えている。第１および第２アーチ形状部材２０２ａ，２０２ｂのそれぞれ一部は、それぞれ対応する開口２０５ａ，２０５ｂを通して、ハウジング２０４内へと侵入している。詳細に後述するように、ハウジング２０４は、第１および第２アーチ形状部材２０２ａ，２０２ｂを互いに回転可能な状態に維持する。
【００３２】
図１０は、閉塞状態とされたデバイス２００を示している。この閉塞状態においては、第１および第２アーチ形状部材２０２ａ，２０２ｂは、閉ループを形成するようにして、互いに係合している。デバイス２００は、第１および第２アーチ形状部材２０２ａ，２０２ｂの各直径が各襟芯内の穿孔の直径よりも小さいことにより、穿孔された襟芯２１０ａ，２１０ｂ，２１０ｃ，２１０ｄの貯蔵に特に適している。各襟芯２１０ａ，２１０ｂ，２１０ｃ，２１０ｄは、対応する貫通穴２１２ａ，２１２ｂ，２１２ｃ，２１２ｄを有している。これら貫通穴を通して、第１および第２アーチ形状部材２０２ａ，２０２ｂ内へと、容易に挿入することができる。したがって、デバイス２００は、順序づけられた態様でかつ整然とした態様でかつ容易に使用可能な態様で、複数の襟芯２１０ａ〜２１０ｄを維持する。
【００３３】
使用者が、押しボタン２０８を押すことにより、第１アーチ形状部材２０２ａと第２アーチ形状部材２０２ｂとの係合を解除することができる。これにより、図１１に示すように、第１アーチ形状部材２０２ａと第２アーチ形状部材２０２ｂとの間に、ギャップが形成される。この開放状態においては、襟芯内に形成された貫通穴を通して一方のアーチ形状部材内へと挿入することにより、穿孔された襟芯を、貯蔵デバイス２００上に配置することができる。図１１は、第２アーチ形状部材２０２ｂに対して、襟芯２１０ａの貫通穴２１２ａが挿入されている様子を示している。好ましくは、アーチ形状部材２０２ａ，２０２ｂによって形成されたギャップは、いささか小さなものであって、約０．５０８ｍｍ〜約２．５４ｍｍ（約０．０２インチ〜約０．１０インチ）である。これにより、襟芯を追加したりあるいは取り出したりする際に、アーチ形状部材上に既に保持されている襟芯が、デバイス２００から不注意にスリップしてしまったり落ちてしまったりすることを、低減することができる。貫通穴２１０ａを通しての第２アーチ形状部材２０２ｂ内への挿入後に、使用者は、ボタン２０８に対する押圧力を解除する。これにより、図１０に示すように、アーチ形状部材２０２ａ，２０２ｂを互いに係合させて、閉ループを形成することができる。デバイス２００からの襟芯の取外しは、同様である。すなわち、ボタン２０８を押すことによって、アーチ形状部材２０２ａ，２０２ｂの係合を解除し、襟芯をギャップを通してどちらかのアーチ形状部材から抜き出す。デバイス２００は、第１および第２アーチ形状部材２０２ａ，２０２ｂによって形成された閉ループにより、３０個前後の穿孔済み襟芯を貯蔵することができる。
【００３４】
当業者であれば、第１および第２アーチ形状部材２０２ａ，２０２ｂの係合によって形成される選択的に解除可能な閉ループあるいはリングを、様々な形状のものとし得ることは、理解されるであろう。アーチ形状部材どうしが係合することにより、図１０、図１１および図１５に示すように、実質的に円形のループを形成することができる。これに代えて、アーチ形状部材の形状を変更することによって、閉ループの形状を、当業者に公知であるような任意の所望の形状とすることができる。限定するものではないけれども、このような形状は、正方形や、長方形や、三角形や、多角形や、楕円形、とすることができる。
【００３５】
図１４に示すように、デバイス２００は、さらに、スプリング２１４と、ピン２１６ａ，２１６ｂと、磁石２１８と、を備えている。第１および第２アーチ形状部材２０２ａ，２０２ｂは、第１および第２エルボー２２０ａ，２２０ｂと、第１および第２アームセグメント２２１ａ，２２１ｂと、第１および第２フラット部分２２２ａ，２２２ｂと、第１および第２穴２２４ａ，２２４ｂと、を備えている。ピン２１６ａ，２１６ｂは、それぞれ対応するピン座２２６ａ，２２６ｂ内に配置される。アーチ形状部材２０２ａ，２０２ｂは、それぞれの穴２２４ａ，２２４ｂを介して、着座したピン２１６ａ，２１６ｂの露出部分上に取り付けられる。これは、各アーチ形状部材に対して、回転性能を付与する。第１および第２フラット部分２２２ａ，２２２ｂと、第１および第２アームセグメント２２２ａ，２２２ｂと、第１および第２エルボー２２０ａ，２２０ｂとは、ハウジング２０４内に配置される。第１および第２アーチ形状部材２０２ａ，２０２ｂの残部は、それぞれ対応する開口２０５ａ，２０５ｂから延出され、ハウジング２０４から自由に突出して、閉ループを形成する。スプリング２１４の両端部は、それぞれ対応するエルボー部分２２０ａ，２２０ｂに対して取り付けられ、これにより、第１および第２アーチ形状部材を互いに閉塞状態へと付勢する。
【００３６】
ボタン２０８は、図１４に示すように、外表面２２８と、ボタンボディ２３０と、を備えている。ボタンボディ２３０は、外表面２２８からハウジング２０４の内部へと延在しており、ボタンボディ２３０の一部は、第１および第２アームセグメント２２１ａ，２２１ｂの間に位置している。ボタンボディ２３０の周縁部分には、ボタンボディ２３０に対して一体的とされたリップ２３２が配置されており、このリップ２３２は、外向きに突出している。リップ２３２は、デバイス２００が閉塞状態にある場合には、カバー部材２０６に対して当接する。リップ２３２は、図１２および図１３に示すように、ボタン２０８をハウジング２０４内に維持する。カバー部材２０６は、ボタンの外表面２２８の形状に対応した開口２３４を有している。カバー部材２０６は、ハウジング２０４の頂壁に対して取り付けられている。これにより、デバイス２００を閉じているとともに、上述したように、ボタン２０８と、スプリング２１４と、ピン２１６ａ，２１６ｂと、アーチ形状部材の一部と、を維持している。カバー部材２０６は、当業者には公知の態様でもって、ハウジング２０４に対して固定されている。限定するものではないけれども、リップおよびグルーブを利用した取付や、スナップ方式の取付や、接着剤を利用した取付、を行うことができる。
【００３７】
ハウジング２０４は、さらに、ボタン支持体２３４ａ，２３４ｂ，２３４ｃ，２３４ｄを備えている。これらボタン支持体２３４ａ〜２３４ｄは、ボタン２０８に対して内向き圧力が印加されたときには、ボタン２０８の内向き移動を案内し、デバイス２００を開放状態とする。スプリング２１４は、ボタン支持体２３４ｃ，２３４ｄの間に配置されており、上述したように、第１および第２エルボー部分２２０ａ，２２０ｂに対して取り付けられている。ボタンボディ２３０の横断面形状は、楔形状またはテーパー形状とされている。これにより、外表面２２８の近くにおけるボタンボディ２３０の幅は、図１３に示すように、ボタン側面におけるボタンボディ２３０の幅よりも、大きなものとされている。ボタン２０８がハウジング２０４内に向けて押圧されたときには、ボタンボディ２３０の両外側面は、第１および第２アーム２２１ａ，２２１ｂを押圧する。ボタン２０８の内方移動は、ボタンボディ２３０の徐々に広くなる横断面を、第１および第２アームセグメント２２１ａ，２２１ｂに対して押し付ける。これにより、アームセグメントどうしの間の距離が、徐々に増大することとなる。これにより、少なくとも一方のアーチ形状部材を、ピン２１６ａあるいは２１６ｂ回りに回転させ、これにより、アーチ形状部材２０２ａ，２０２ｂの係合を解除させて、これらアーチ形状部材どうしの間にギャップを形成する。
【００３８】
ハウジング２０４と、カバー部材２０６と、ボタン２０８とは、任意の耐久性材料から形成することができる。限定するものではないけれども、プラスチックや、ゴムや、金属、から形成することができる。同様に、ピン２１６ａ，２１６ｂと、スプリング２１４と、第１および第２アーチ形状部材２０２ａ，２０２ｂとは、プラスチックまたは金属といったような耐久性材料から形成され、金属から形成されることが好ましい。
【００３９】
磁石２１８は、当業者に公知の態様でもって、例えば接着剤を使用することによって、デバイス２００の下面に対して取り付けられている。これにより、デバイス２００を、図１５に示すように、襟芯穿孔装置１０のベース部材４０に対して、磁気的に取り付けることができる。好ましくは、パッドの開口４５の形状は、ハウジング２０４の外形形状に適合したものとされる。これにより、磁石２１８を、ベース部材４０の外表面に対して直接的に取り付けることができる。これは、襟芯穿孔装置１０と襟芯貯蔵デバイス２００とを互いに一緒に格納し得るという点において、有利である。したがって、装置１０によって襟芯を穿孔した後に、その襟芯が曲がってしまったり破損してしまったり見失ってしまったりする前に、貯蔵デバイス２００上に即座に配置することができる。
【００４０】
デバイス２００は、襟芯穿孔装置１０と協働して使用することができる。あるいは、デバイス２００は、個別的に使用することができる。襟芯穿孔装置１０の場合と同様に、襟芯貯蔵デバイス２００の利点は、コンパクトさと、耐久性と、携帯性と、操作の容易さと、である。デバイス２００は、約３８．１ｍｍ（約１．５インチ）〜約６３．５ｍｍ（約２．５インチ）という長さと、約１２．７ｍｍ（約０．５インチ）〜約３８．１ｍｍ（約１．５インチ）という幅と、を有している。デバイス２００の高さは、約７．６２ｍｍ（約０．３インチ）〜約２５．４ｍｍ（約１．０インチ）である。このような寸法であることにより、デバイス２００は、手軽な衣類アクセサリーであって、ドレッサーの引出しや、スーツケースや、衣装袋や、自動車のグローブボックスや、化粧用品キットや、財布や、ポケットさえ、の中に容易に収容可能なものである。デバイス２００は、装置１０に付設されるものであっても、あるいは、単独で使用されるものであっても、良い。また、操作が容易であることにより、デバイス２００を使用することによって、キーや紙クリップや輪ゴムやヘアバンド等といったようなリング状対象物を貯蔵することもできる。
【００４１】
本発明の他の見地においては、デバイス２００は、係合取付システムと一緒に使用することができる。この実施形態においては、取付部材が、デバイス２００の背面（つまり、ハウジング２０４の外表面のうちの、ボタン側に位置する外表面２２８とは反対側に位置した外表面）に固定される。係合取付部材が、デバイス２００の取付部材に対して、着脱可能に取付可能なものとして、提供される。その後、係合取付部材を、デバイス２００によって維持されている襟芯に対して容易にアクセスし得るような任意の所望の表面または構造に対して、固定することができる。例えば、係合取付部材は、シャツおよび／またはブラウスが貯蔵されるクローゼットエリアに隣接しているようなクローゼット壁に対して、固定することができる。これにより、デバイス２００を係合取付部材に対して取り付けることにより、使用者は、着用しようとしたシャツまたはブラウスに適した襟芯を、デバイス２００から簡便に取り出すことができる。係合取付部材は、デバイス２００に取って適切な取付プラットホームを提供し得るような任意の表面あるいは構造に対して、固定することができる。そのような表面あるいは構造は、ドレッサーやスーツケースや衣装袋や化粧用品キットの内壁や、あるいは、バスルームの壁とさえ、することができる。したがって、デバイス２００は、ある係合取付部材（つまり、クローゼット壁に対して固定された係合取付部材）から、他の係合取付部材（つまり、衣装袋の内壁に対して固定された係合取付部材）へと、付け替えることができる。これにより、デバイス２００は、家庭内においてもまた旅行先においても役立つような汎用性を有することができる。係合取付システムは、当業者に公知であるような任意の着脱可能な取付システムとすることができる。例えば、限定するものではないけれども、取付部材と係合取付部材との組合せは、磁石と鉄含有金属または鉄含有合金との組合せや、フックとループとの組合せや、リップとグルーブとの組合せや、スナップとクリップとの組合せ、とすることができる。取付部材は、当業者に公知の態様でもってデバイス２００に対して固定することができ、好ましくは、接着剤を使用して固定される。同様に、係合取付部材は、当業者に公知の態様でもって任意の適切な構造または表面に対して固定することができ、好ましくは、接着剤を使用して
固定される。
【００４２】
ある種の好ましい実施形態に関して本発明について説明したけれども、当業者であれば、本発明においては様々な変更や修正や変形が可能であること、および、そのような様々な変更や修正や変形が、特許請求の範囲に包含されることが意図されていることは、理解されるであろう。
【図面の簡単な説明】
【００４３】
【図１】本発明による襟芯穿孔装置を示す前方から見た斜視図であって、開放状態で示されているとともに、襟芯が延出されている。
【図２】襟芯穿孔装置を示す平面図である。
【図３】襟芯穿孔装置を示す正面図である。
【図４】襟芯穿孔装置を示す底面図である。
【図５】襟芯穿孔装置を示す側面図である。
【図６】襟芯穿孔装置を示す分解斜視図である。
【図７】襟芯穿孔装置を、図１における７−７線に沿って示す矢視断面図であって、襟芯が内部に挿入されているとともに、ハウジングの図示が省略されている。
【図８】襟芯穿孔装置を、図１における７−７線に沿って示す矢視断面図であって、襟芯が内部に挿入されているとともに、ハウジングの図示が省略されている。
【図９】本発明に基づいて穿孔された襟芯を示す平面図である。
【図１０】本発明の代替可能な実施形態による襟芯貯蔵デバイスを、閉塞状態でもって、前方から見た斜視図である。
【図１１】襟芯貯蔵デバイスを、開放状態でもって、前方から見た斜視図である。
【図１２】図１０における１２−１２線に沿って示す矢視断面図である。
【図１３】図１０における１３−１３線に沿って示す矢視断面図である。
【図１４】襟芯貯蔵デバイスを、背面側から見た分解斜視図である。
【図１５】本発明のさらなる見地に基づき、襟芯穿孔装置と、このデバイスの底面に対して取り付けられた襟芯貯蔵デバイスと、を示す斜視図である。
【符号の説明】
【００４４】
１０    襟芯穿孔装置
１２    第１レバー部材
１４    第２レバー部材
１６    ハウジング
１８    ガイドスロット
２０    ラッチ
２８    突出リッジ
３２    ノッチ
３８    襟芯
４０    ベース部材
４６    回転取付部材
５３    回転取付部分
６１    ガイド通路
６８ａ  板ばね
６８ｂ  板ばね
９４    当接表面
２００    襟芯貯蔵デバイス
２０２ａ  第１アーチ形状部材
２０２ｂ  第２アーチ形状部材
２０４    ハウジング
２０６    カバー部材
２０８    押しボタン
２１０ａ  襟芯
２１０ｂ  襟芯
２１０ｃ  襟芯
２１０ｄ  襟芯
２１２ａ  貫通穴
２１２ｂ  貫通穴
２１２ｃ  貫通穴
２１２ｄ  貫通穴
２１４    スプリング
２２８    外表面（露出面）
２３０    ボタンボディ（ボディ）
【図１】
2007511373.tif 000003
【図２】
2007511373.tif 000004
【図３】
2007511373.tif 000005
【図４】
2007511373.tif 000006
【図５】
2007511373.tif 000007
【図６】
2007511373.tif 000008
【図７】
2007511373.tif 000009
【図８】
2007511373.tif 000010
【図９】
2007511373.tif 000011
【図１０】
2007511373.tif 000012
【図１１】
2007511373.tif 000013
【図１２】
2007511373.tif 000014
【図１３】
2007511373.tif 000015
【図１４】
2007511373.tif 000016
【図１５】
2007511373.tif 000017
【国際調査報告】
2007511373.tif 000018
2007511373.tif 000019
2007511373.tif 000020